(57)【要約】      （修正有）【課題】小さな子供でも封止部を引き裂きやすいプラスチック容器を提供する。【解決手段】内容物を収容する収容部３と、内容物を吐出する口部４を備えるプラスチック容器１であって、口部には、引き裂き式の封止部８が設けられ、収容部は、扁平形状である、プラスチック容器が提供される。【選択図】図１
2017214090.tif 000002
【特許請求の範囲】
【請求項１】
内容物を収容する収容部と、前記内容物を吐出する口部を備えるプラスチック容器であって、
前記口部には、引き裂き式の封止部が設けられ、
前記収容部は、扁平形状である、プラスチック容器。
【請求項２】
前記収容部は、前記扁平形状の短軸方向に対向する一対の第１対向面にくびれ部を有する、請求項１に記載のプラスチック容器。
【請求項３】
前記くびれ部は、もっともくびれが大きい部位が、前記封止部を引き裂いた後の容器の全高の中央よりも下側にある、請求項２に記載のプラスチック容器。
【請求項４】
前記くびれ部は、前記収容部の全周に設けられる、請求項２又は請求項３に記載のプラスチック容器。
【請求項５】
前記収容部は、前記扁平形状の長軸方向に対向する一対の第２対向面にくびれ部を有し、
前記封止部には、前記封止部を引き裂く際に把持する把持部が設けられ、
前記口部の中心を中心軸とすると、
第２対向面でのくびれ部の最もくびれが大きい部位の前記中心軸からの距離は、前記把持部の前記中心軸から最も離れた部位の前記中心軸からの距離と等しいか又はこれよりも長い、請求項１〜請求項４の何れか１つに記載のプラスチック容器。
【請求項６】
前記くびれ部は、高さ方向の長さは、前記封止部を引き裂いた後の容器の全高の１／１０〜１／２である、請求項２〜請求項５の何れか１つに記載のプラスチック容器。
【請求項７】
前記口部は、前記扁平形状の長軸方向の略中央に設けられる、請求項１〜請求項６の何れか１つに記載のプラスチック容器。
【請求項８】
前記収容部は、前記収容部の底部から前記口部に向かって外側に広がるテーパー面を備え、前記テーパー面の上端位置は、前記扁平形状の長軸方向に対向する一対の第２対向面において、前記扁平形状の短軸方向に対向する一対の第１対向面よりも高くなっている、請求項１〜請求項７の何れか１つに記載のプラスチック容器。
【発明の詳細な説明】
【技術分野】
【０００１】
本発明は、アイスなどを収容するために用いられるプラスチック容器に関する。
【背景技術】
【０００２】
容器の先端を引き裂くことによって、容器の口部に開口を形成して内容物を吐出する、いわゆる引き裂き式のプラスチック容器が知られている。
【先行技術文献】
【特許文献】
【０００３】
【特許文献１】特開２００３−４０２３２号公報
【発明の概要】
【発明が解決しようとする課題】
【０００４】
特許文献１の容器は、円筒形の収容部を有しており、収容部を把持した状態で口部の先端の封止部を引き裂くことによって、内容物を吐出できるようになっている。
【０００５】
ところで、内容物がアイスなどの小さな子供が好きな嗜好品である場合には、プラスチック容器の主なユーザーは小さな子供であるが、従来の引き裂き式のプラスチック容器は、封止部を引き裂くことが容易でない場合がある。
【０００６】
本発明はこのような事情に鑑みてなされたものであり、小さな子供でも封止部を引き裂きやすいプラスチック容器を提供するものである。
【課題を解決するための手段】
【０００７】
本発明によれば、内容物を収容する収容部と、前記内容物を吐出する口部を備えるプラスチック容器であって、前記口部には、引き裂き式の封止部が設けられ、前記収容部は、扁平形状である、プラスチック容器が提供される。
【０００８】
本発明者らは、封止部を引き裂くためには、収容部をしっかりと把持することが必須であるが、従来の容器は、収容部が円筒形であるために、小さな子供の手には収まりが悪く、その結果、収容部を適切に把持することができず、封止部の引き裂きが困難になっていることに気がついた。そして、この知見に基づいて、収容部の形状を、小さな子供でも握りやすい扁平形状にすることを思いつき、本発明の完成に到った。
【０００９】
以下、本発明の種々の実施形態を例示する。以下に示す実施形態は互いに組み合わせ可能である。
好ましくは、前記収容部は、前記扁平形状の短軸方向に対向する一対の第１対向面にくびれ部を有する。
好ましくは、前記くびれ部は、もっともくびれが大きい部位が、前記封止部を引き裂いた後の容器の全高の中央よりも下側にある。
好ましくは、前記くびれ部は、前記収容部の全周に設けられる。
好ましくは、前記収容部は、前記扁平形状の長軸方向に対向する一対の第２対向面にくびれ部を有し、前記封止部には、前記封止部を引き裂く際に把持する把持部が設けられ、前記口部の中心を中心軸とすると、第２対向面でのくびれ部の最もくびれが大きい部位の前記中心軸からの距離は、前記把持部の前記中心軸から最も離れた部位の前記中心軸からの距離と等しいか又はこれよりも長い。
好ましくは、前記くびれ部は、高さ方向の長さは、前記封止部を引き裂いた後の容器の全高の１／１０〜１／２である。
好ましくは、前記口部は、前記扁平形状の長軸方向の略中央に設けられる。
好ましくは、前記収容部は、前記収容部の底部から前記口部に向かって外側に広がるテーパー面を備え、前記テーパー面の上端位置は、前記扁平形状の長軸方向に対向する一対の第２対向面において、前記扁平形状の短軸方向に対向する一対の第１対向面よりも高くなっている。
【図面の簡単な説明】
【００１０】
【図１】本発明の第１実施形態のプラスチック容器１の斜視図である。
【図２】プラスチック容器１を示し、（ａ）は正面図、（ｂ）は右側面図、（ｃ）は平面図、（ｄ）は底面図である。
【図３】図２と同じプラスチック容器１を示し、（ａ）は左側面図、（ｂ）は背面図である。
【図４】図３（ｂ）中のＡ−Ａ端面図である。
【図５】図３（ｂ）中のＢ−Ｂ端面図である。
【図６】（ａ）は、図２（ａ）中の領域Ｘの拡大図であり、（ｂ）は、（ａ）中のＣ−Ｃ断面図である。
【図７】（ａ）〜（ｉ）は、それぞれ、第１実施形態のプラスチック容器１中の意匠的に優れた部位を点線で示す、収容部３の正面図である。
【図８】（ａ）〜（ｇ）は、それぞれ、第１実施形態のプラスチック容器１中の意匠的に優れた部位を点線で示す、把持部１３の正面図である。
【図９】本発明の第２実施形態のプラスチック容器１の斜視図である。
【図１０】プラスチック容器１を示し、（ａ）は正面図、（ｂ）は右側面図、（ｃ）は平面図、（ｄ）は底面図である。
【図１１】図１０と同じプラスチック容器１を示し、（ａ）は左側面図、（ｂ）は背面図である。
【図１２】図１１（ｂ）中のＡ−Ａ端面図である。
【図１３】（ａ）〜（ｉ）は、それぞれ、第２実施形態のプラスチック容器１中の意匠的に優れた部位を点線で示す、収容部３の正面図である。
【図１４】（ａ）〜（ｇ）は、それぞれ、第１実施形態のプラスチック容器１中の意匠的に優れた部位を点線で示す、把持部１３の正面図である。
【発明を実施するための形態】
【００１１】
以下、本発明の実施形態について説明する。以下に示す実施形態中で示した各種特徴事項は、互いに組み合わせ可能である。また、各特徴について独立して発明が成立する。
【００１２】
１．第１実施形態
図１〜図８を用いて、本発明の第１実施形態について説明する。本実施形態のプラスチック容器１は、内容物を収容する収容部３と、内容物を吐出する口部４を備える。口部４には、引き裂き式の封止部８が設けられている。収容部３は、扁平形状である。このため、収容部３は、扁平形状の短軸ＳＡ方向に対向する一対の第１対向面６と、扁平形状の長軸ＬＡ方向に対向する一対の第２対向面７と、によって構成される。収容部３は、例えば断面が略楕円又は長円である形状である。長軸ＬＡは、収容部３内で描画できる最長の線分であり、短軸ＳＡは、長軸ＬＡの中央を通り且つ長軸ＬＡに垂直な線分である。対向面６，７は、通常は、スムーズに連結されるので、対向面６，７を区分けする明確な境界は通常は存在しないが、例えば、図４〜図５に示すように、長軸ＬＡと短軸ＳＡの交点を中心とする内接円ＩＣに接し且つ短軸ＳＡに平行な線分Ｔと収容部３との交点を境界Ｂとすることができる。この場合、対向面６，７は、境界Ｂで区分けされる。長軸ＬＡと短軸ＳＡの交点を中心とする外接円を外接円ＯＣとすると、内接円ＩＣに対する外接円ＯＣの半径の比は、１．１以上が好ましく、１．３以上がさらに好ましい。この比の上限は、特に規定されないが、例えば、３である。この比は、例えば具体的には例えば、１．１、１．２、１．３、１．４、１．５、１．６、１．７、１．８、１．９、２、２．１、２．２、２．３、２．４、２．５、２．６、２．７、２．８、２．９、３であり、ここで例示した数値の何れか２つの間の範囲内であってもよい。
【００１３】
収容部３が円筒形である場合、十分な容量を確保すべくその直径を大きくすると小さな子供には握りにくくなり、小さな子供にも握りやすいように直径を小さくすると容量が小さくなってしまうという問題があるので、内容量を確保しつつ小さな子供にも握りやすくすることができなかった。一方、収容部３を扁平形状にすると、一対の対向面６間の距離が比較的短いので、小さな子供は一対の対向面６を挟むように掴むことによって収容部３をしっかりと把持することが可能になる。また、収容部３を扁平形状にすると、扁平形状の長軸ＬＡ方向に収容部３を長くすることできるので収容部３の容量を大きくすることが可能である。従って、収容部３を扁平形状にすることによって、容量を十分に確保しつつ、小さな子供にも握りやすくすることができる。
【００１４】
収容部３には、くびれ部１１が全周に設けられている。従って、対向面６，７の何れにもくびれ部１１が設けられている。対向面６にくびれ部１１があることによって一対の対向面６間の距離が小さくなる。また、くびれ部１１を指で把持した場合にくびれ部１１を構成する斜面によって指がくびれ部１１の最もくびれが大きい部位（くびれ最深部）１１ａに導かれる。このため、対向面６にくびれ部１１を設けることによって、収容部３をさらに安定して把持することができるようになる。また、くびれ部１１が全周に設けられているので、容器の全周のどの部分でも握りやすくなっている。
【００１５】
図４に示すように、くびれ部１１での収容部３の端面が略多角形状（本実施形態では１０角形）になっている。言い換えると、くびれ部１１での収容部３の端面が複数の（本実施形態では１０の）直線で構成されている。このため、くびれ部１１を把持した場合に滑らずに握りやすくなっている。
【００１６】
くびれ部１１は、くびれ最深部１１ａが、封止部８を引き裂いた後の容器１の全高Ｈの中央Ｍよりも下側にある。このような構成によれば、容器１の下の方を握りつぶしやすいので、内容物が吐出しやすくなる。
【００１７】
封止部８には、アイスなどの内容物を収容部３に充填する前には開口９が設けられており、開口９を通じて収容部３に内容物が充填される。内容物の充填後は封止部８が溶着等によって封止されて、内容物の漏出が防止される。
【００１８】
封止部８には、封止部８を引き裂く際に把持する把持部１３が設けられている。把持部１３は、把持可能な形状であればよく、本実施形態のような開口１３ａを有するリング形状であってもよく、開口なしのタブであってもよい。口部４には切断部４ａが設けられており、把持部１３を把持して切断部４ａにおいて封止部８を引き裂くことによって、内容物の吐出が可能になる。また、封止部８には、把持部１３に隣接した位置に、環状の２本の補強リブ８ａが設けられている。封止部８を切り裂く際に封止部８が変形すると封止部８が切り裂きにくくなるが、封止部８に補強リブ８ａを設けることによって封止部８の変形を抑制して封止部８が切り裂きやすくなっている。
【００１９】
図６に示すように、把持部１３は、連結部１３ｆにおいて口部４に連結されている。把持部１３には、リング状の中空部１３ｂが設けられている。把持部１３において中空部１３ｂ以外の部分は、溶着部１３ｃとなっている。連結部１３ｆには連通孔１３ｅが設けられている。中空部１３ｂの他端は連通孔１３ｅを介して口部４の内部空間に連通されている。このような構成によれば、プラスチック容器１をブロー成形で形成する際に、連通孔１３ｅ及び中空部１３ｂを通じてエアーが把持部１３の全体に行き渡るので、把持部１３の成形不良が生じず、把持部１３及び連結部１３ｆの強度が向上する。一方、口部４を通じて収容部３にアイスなどの内容物を充填する際に、内容物が連通孔１３ｅを通じて中空部１３ｂ内に入り込んでしまって外観上好ましくない場合がある。そこで、中空部１３ｂの一端１３ｂ１が溶着部１３ｃで封止されており、連通孔１３ｅから中空部１３ｂに入った空気が循環しないようになっている。こうすることで、中空部１３ｂ内の空気を押しのけて内容物が入りにくくなっている。さらに、連結部１３ｆの長さＣＬに対する、連通孔１３ｅの長さ（中心軸Ｃ方向の長さ）ＯＬの比は、０．６以下が好ましい。この場合、連通孔１３ｅの長さが比較的短いので、中空部１３ｂ内に内容物がより入りにくい。この比の下限は、特に規定されないが、例えば、０．０１である。この比は、具体的には例えば、０．０１、０．０５、０．１、０．２、０．３、０．４、０．５、０．６であり、ここで例示した数値の何れか２つの間の範囲内であってもよい。
【００２０】
口部４の中心を中心軸Ｃとし、把持部１３の、中心軸Ｃから最も離れた部位を最遠部１３ｇとすると、対向面７でのくびれ最深部１１ａから中心軸Ｃまでの距離を距離Ｄ１は、最遠部１３ｇから中心軸Ｃまでの距離Ｄ２と等しいか又はこれよりも長い。容器１をブロー成形によって形成する際には、通常は、短軸方向に開閉する分割金型を用い且つ半径がＤ２以上のパリソンが用いられる。そして、Ｄ１がＤ２よりも短い場合、対向面７でのくびれ最深部１１ａにおいてパリソンが分割金型によって挟まれてしまって対向面７でのくびれ最深部１１ａにパーティングラインが形成され、この部位が固くなってしまう場合がある。一方、、Ｄ１≧Ｄ２とすると、対向面７でのくびれ最深部１１ａにおいてパリソンが分割金型によって挟まれることを防ぐことができる。
【００２１】
くびれ部１１は、高さ方向の長さＬは、封止部８を引き裂いた後の容器の全高Ｈの１／１０〜１／２であり、好ましくは１／５〜１／３である。くびれ部１１が狭すぎるとくびれ部１１を把持することが困難になり、くびれ部１１の機能が発揮されにくくなる。一方、くびれ部１１が広すぎると、くびれ部１１を構成する斜面がなだらかになりすぎて、くびれ最深部１１ａに指が導かれるという効果が発揮されにくくなる。
【００２２】
口部４は、収容部３の扁平形状の長軸ＬＡ方向の略中央に設けられる。このような位置に、口部４を設けると、封止部８を引き裂く際に封止部８に長軸ＬＡ方向の力を加えても収容部３が変形しにくいので、封止部８を引き裂きやすい。
【００２３】
収容部３は、収容部３の底部１４から口部４に向かって外側に広がるテーパー面１５を備える。テーパー面１５の上端位置１５ａは、対向面７において、対向面６よりも高くなっている。対向面６を押圧して内容物の残量が少なくなったとき、内容物が対向面７に隣接した隅に残留しやすいが、対向面７でのテーパー面１５の上端位置１５ａを対向面６でのテーパー面１５の上端位置１５ａよりも高くすることによって、内容物が長軸ＬＡ方向の中央に導かれやすくなり、内容物の残留が抑制される。
【００２４】
２．第２実施形態
図９〜図１４を用いて、本発明の第２実施形態について説明する。  本実施形態のプラスチック容器１は、第１実施形態と同様に、扁平形状の収容部３にくびれ部１１が設けられた形状を有しており、第１実施形態と同様の作用効果が奏される。一方、本実施形態では、口部４が扁平形状の長手方向の中央からずれた位置に設けられており、把持部１３は、口部４から扁平形状の長手方向の中央に向かう側に突出するように設けられている。このために、第１実施形態に比べて、把持部１３のサイズを大きくすることが可能になっている。ところで、把持部１３の開口１３ａは、ブロー成形によってプラスチック容器１を形成した直後は形成されておらず、その後のプレス加工で形成される。この際、開口１３ａに対応した略円形の打ち抜き片が生じる。この打ち抜き片が口部４の開口９を通じて収容部３に入ってしまい、その状態で内容物が充填されると、内容物を摂取する際に打ち抜き片を誤飲してしまう虞がある。そこで、本実施形態では、このような問題を確実に回避すべく、開口１３ａの内径が開口９の内径よりも大きくなるようにしている。このような構成によれば打ち抜き片の直径が必然的に開口９の内径よりも大きくなるので、打ち抜き片が口部４の開口９を通じて収容部３に入ることを確実に防ぐことができる。
【符号の説明】
【００２５】
１      ：プラスチック容器
３      ：収容部
４      ：口部
４ａ    ：切断部
６      ：第１対向面
７      ：第２対向面
８      ：封止部
８ａ    ：補強リブ
９      ：開口
１１    ：くびれ部
１１ａ  ：くびれ最深部
１３    ：把持部
１３ａ  ：開口
１３ｂ  ：中空部
１３ｃ  ：溶着部
１３ｅ  ：連通孔
１３ｆ  ：連結部
１３ｇ  ：最遠部
１４    ：底部
１５    ：テーパー面
１５ａ  ：上端位置
Ｂ      ：境界
Ｃ      ：中心軸
Ｄ１    ：距離
Ｄ２    ：距離
Ｈ      ：全高
ＩＣ    ：内接円
ＬＡ    ：長軸
Ｍ      ：中央
ＯＣ    ：外接円
ＳＡ    ：短軸
Ｔ      ：線分
Ｘ      ：領域
【図１】
2017214090.tif 000003
【図２】
2017214090.tif 000004
【図３】
2017214090.tif 000005
【図４】
2017214090.tif 000006
【図５】
2017214090.tif 000007
【図６】
2017214090.tif 000008
【図７】
2017214090.tif 000009
【図８】
2017214090.tif 000010
【図９】
2017214090.tif 000011
【図１０】
2017214090.tif 000012
【図１１】
2017214090.tif 000013
【図１２】
2017214090.tif 000014
【図１３】
2017214090.tif 000015
【図１４】
2017214090.tif 000016